(57)【特許請求の範囲】
【請求項１】
前端開口部に筆跡消去用のイレーザを装着保持し且つ外側面に平板状マグネットを設けた横断面略方形状の第一の筒部と、筆記具本体が挿入保持可能に後端が開口され且つ前端が閉塞された横断面円形状の第二の筒部とが一体に連結されてなる筆記具用キャップであって、前記第二の筒部の前部に有底円筒状の筒状突出部を形成し、前記筒状突出部を前記第一の筒部の内部に突出させ、前記筒状突出部の前端部が前記イレーザの後端面の中央部を当接支持し、前記第一の筒部が横断面長方形状のイレーザ装着孔を有し、前記筒状突出部の外側の第一の筒部の内面に、軸方向且つ長径方向に延びる板状リブが一体に突設され、前記板状リブの前端が前記イレーザの後端面の両縁部を当接支持してなることを特徴とする筆記具用キャップ。
【請求項２】
前記第一の筒部と第二の筒部との連結部よりも前方の第二の筒部の内面に、筆記具本体と気密嵌合する環状シール部を設け、前記環状シール部の位置する第二の筒部の外面と第一の筒部の内面との間に環状間隙を設けた請求項１の筆記具用キャップ。
【請求項３】
前記第一の筒部と第二の筒部との連結部よりも後方、且つ、平板状マグネットよりも後方の第二の筒部の内面に、筆記具本体と気密嵌合する環状シール部を設けた請求項１の筆記具用キャップ。
【請求項４】
筆記具本体のペン先側を前記第二の筒部に挿入保持した際にペン先と接触状態となる多孔質含浸体を、前記第二の筒部の前端部内に配置した請求項１乃至３のいずれか１項に記載の筆記具用キャップ。
【発明の詳細な説明】
【０００１】
【発明の属する技術分野】
本発明は、筆記具用キャップに関する。詳細には、筆跡消去用のイレーザと、ホワイトボード等の筆記板に吸着する平板状マグネットとを備えた筆記具用キャップに関する。尚、本発明において、「前」とはイレーザが装着保持される第一の筒部の開口側を指し、「後」とは筆記具本体が挿入される第二の筒部の開口側を指す。
【０００２】
【従来の技術】
例えば、実開昭５４−１６５２６号公報には、両端に、字消材が嵌挿される横断面方形状の有底孔と、筆記体が着脱自在に嵌着される横断面円形状の有底孔とを備えると共に、外面に磁性体が貼着された筆記具用キャップが開示されている。
【０００３】
【発明が解決しようとする課題】
前記従来の構造の筆記具用キャップは、平板状マグネットの面積が比較的小さく、吸着力が不足しがちである。そのため、筆記具本体が挿入保持されたキャップを、立設状態のホワイトボード等の筆記板の被吸着面に吸着保持したとしても、キャップ挿着状態の筆記具が衝撃等により前記被吸着面から容易に離脱・落下してしまう不具合があった。
【０００４】
また、前記従来の筆記具用キャップにおいて、マグネットの十分な吸着力を得るために単に平板状マグネットの面積を大きくしたのでは、キャップ全体（特にキャップの軸方向の全長）が筆記具本体に比較して大きくなり、不格好な外観を呈する。
【０００５】
また、従来のマグネット付きキャップは、キャップを挿着した筆記具がペン先上向き状態でホワイトボード等の立設状態の被吸着面に吸着されると、インキのドロップバック現象によって初期書き出し時の筆跡カスレを生じさせやすい。また、キャップを挿着した筆記具がペン先下向き状態で前記被吸着面に吸着されると、ペン先のインキの過剰供給によって、ペン先からインキが漏出するおそれがある。
【０００６】
本発明は、前記従来の課題を解決するものであって、キャップ全体を極端に大きくせずに、十分な吸着力を有するマグネットを備えたイレーザ付き筆記具用キャップを提供しようとするものである。また、立設状態の被吸着面に吸着保持したとしても、ペン先内のインキドロップバックによる筆跡のカスレや、インキの過剰供給によるペン先からのインキ漏出を防止する、マグネット及びイレーザ付きキャップを提供しようとするものである。
【０００７】
【課題を解決するための手段】
〔１〕本発明は、前端開口部に筆跡消去用のイレーザ５を装着保持し且つ外側面に平板状マグネット６を設けた横断面略方形状の第一の筒部２と、筆記具本体８が挿入保持可能な後端が開口され且つ前端が閉塞された横断面円形状の第二の筒部３とが一体に連結されてなる筆記具用キャップ１であって、前記第二の筒部３の前部に有底円筒状の筒状突出部３１を形成し、前記筒状突出部３１を前記第一の筒部２の内部に突出させ、前記筒状突出部３１の前端部が前記イレーザ５の後端面の中央部を当接支持し、前記第一の筒部２が横断面長方形状のイレーザ装着孔を有し、前記筒状突出部３１の外側の第一の筒部２の内面に、軸方向且つ長径方向に延びる板状リブ２２が一体に突設され、前記板状リブ２２の前端が前記イレーザ５の後端面の両縁部を当接支持してなること（請求項１）を要件とする。
【０００８】
（作用）
前記請求項１の構成により、マグネット６の十分な吸着力を得る目的でキャップ全体（特にキャップの軸方向の全長寸法）を極端に大きくすることがない。即ち、キャップ全体を極端に大きくすることなく平板状マグネット６の面積を大きくすることができるため、マグネット６の十分な吸着力を得ると同時にキャップの外観性も良好なものに保つことができる。
【０００９】
尚、前記第一の筒部２の「横断面略方形状」とは、第一の筒部２の横断面が、四角形状（例えば、正方形、長方形、平行四辺形、台形等）の他、少なくとも、一辺が平板状マグネット６を設けるための直線状となっていれば、他の部分は、曲線状であってもよい（例えば、半円形、半楕円形等）。
【００１０】
【００１１】
（作用）
前記請求項１の構成により、イレーザ５の中央部を安定支持でき、第一の筒部２内へのイレーザ５の埋没を防止できると共に、第一の筒部２の奥までイレーザ５を挿入保持する場合に比べ、イレーザ５の軸方向の長さを小さいものにでき、イレーザ５の材料費を低く抑えることができる。尚、前記第二の筒部３の前端部３１のイレーザ５を当接支持する箇所は、平面部であってもよいし、前記第二の筒部３の閉塞壁より前方に突出する縦リブや環状突起等であってもよい。
【００１２】
〔２〕前記請求項１の筆記具用キャップ１において、前記第一の筒部２と第二の筒部３との連結部４よりも前方の第二の筒部３（即ち筒状突出部３１）の内面に、筆記具本体８と気密嵌合する環状シール部３２を設け、前記環状シール部３２の位置する第二の筒部３（即ち筒状突出部３１）の外面と第一の筒部２の内面との間に環状間隙２１を設けること（請求項２）が好ましい。（図１、図５参照）
【００１３】
（作用）
前記請求項２の構成により、筆記具用キャップ１を、合成樹脂の射出成形の一体成形品により得る場合、前記環状間隙２１により、環状シール部３２の位置する第二の筒部３（筒状突出部３１）の周壁の肉厚を均一に保つことができるため、環状シール部３２におけるヒケの発生が回避され、筆記具本体８との気密嵌合不良を防止できる。
【００１４】
〔３〕前記請求項１の筆記具用キャップ１において、前記第一の筒部２と第二の筒部３との連結部４よりも後方、且つ、平板状マグネット６よりも後方の第二の筒部３の内面に、筆記具本体８と気密嵌合する環状シール部３２を設けること（請求項３）が好ましい。（図８、図１１参照）
【００１５】
（作用）
前記請求項３の構成により、筆記具用キャップ１を、合成樹脂の射出成形の一体成形品により得る場合、環状シール部３２の位置する第二の筒部３の周壁の肉厚を均一に保つことができるため、環状シール部３２におけるヒケの発生が回避され、筆記具本体８との気密嵌合不良を防止できる。
【００１６】
〔４〕前記請求項１、２又は３の筆記具用キャップ１において、筆記具本体のペン先側を前記第二の筒部３に挿入保持した際にペン先と接触状態となる多孔質含浸体７を、前記第二の筒部３の前端部３１内に配置すること（請求項４）が好ましい。
【００１７】
（作用）
キャップ１を挿着した筆記具が、ペン先上向き状態でホワイトボード等の立設状態の非吸着面に吸着されたとしても、多孔質含浸体７の毛細管力により、ペン先内のインキをドロップバックさせず、該インキドロップバック現象に伴う筆跡濃度の低下を防ぐことができる。また、キャップ１を挿着した筆記具が、ペン先下向き状態で前記非吸着面に吸着されたとしても、ペン先内の余剰インキを前記多孔質含浸体７に吸収させ、ペン先からのインキ漏出を防止できる。
【００１８】
【発明の実施の形態】
本発明の実施の形態について図面に従って説明する。
【００１９】
〔第１実施例〕
図１〜図７に第１実施例を示す。
【００２０】
キャップ１は、横断面が略方形状の第一の筒部２と、横断面が円形状の第二の筒部３とが、合成樹脂（例えばポリプロピレン樹脂等）の射出成形により一体に形成される。前記第一の筒部２と前記第二の筒部３とは、第一の筒部２後端部及び第二の筒部３の中間部外面に設けた連結部４にて一体に連結され、前記連結部４の前方の第一の筒部２内には、第二の筒部３の前部が有底円筒状に突出され、筒状突出部３１が形成されている。
【００２１】
前記第一の筒部２は、横断面が略長方形状のイレーザ装着孔を有し、該イレーザ装着孔の前端開口部より直方体形状に裁断されたフェルトからなるイレーザ５が圧入固着される。前記イレーザ５は、前端開口部より外部に突出される。
【００２２】
第一の筒部２の外側面には、平面状のマグネット取付部が凹設され、該マグネット取付部にシート状のマグネット６が貼着される。前記マグネット６は、第一の筒部２の外側面より外部に僅かに突出される。また、前記マグネット６の形状は、図６に示すように、長方形の後端に、略三角形、半円形、又は半楕円形を延設した形状を有する。
【００２３】
前記第二の筒部３の筒状突出部３１の内面には、筆記具本体８外面と気密嵌合する環状突起よりなる環状シール部３２が形成される。また、前記筒状突出部３１外面と第一の筒部２内面との間には、環状間隙２１が設けられ、それにより、環状シール部３２の位置する筒状突出部３１周壁の肉厚を均一なものにし、成形時のヒケの発生を抑え、筆記具本体８との気密嵌合不良を防止する。
【００２４】
前記第二の筒部３の前端部（即ち筒状突出部３１の前端部）はイレーザ５の後端面の中央部を当接支持している。また、前記筒状突出部３１の外側の第一の筒部２の内面には、軸方向且つ長径方向に延びる板状リブ２２が一体に突設される。前記板状リブ２２の前端は、前記イレーザ５の後端面の両縁部を当接支持している。即ち、前記板状リブ２２の前端と前記筒状突出部３１の前端とは、軸方向に略同じ位置に設定されている。
【００２５】
図１及び図３に示すように、前記連結部４と前記イレーザ５との間には、横断面略方形状の外側の第一の筒部２と、横断面円形状の内側の第二の筒部３（筒状突出部３１）とからなる２重筒構造を有する。
【００２６】
また、前記連結部４後方に延設される第二の筒部３の後部の内面には、筆記具本体８の外面と嵌合する複数（ここでは４個）の点状突起よりなる点状嵌合部３３が一体に形成される。
【００２７】
また、前記筒状突出部３１内の環状シール部３２より前方には、キャップを挿着した際にペン先８３と接触状態となる円柱状の多孔質含浸体７（例えば、フェルト、繊維の樹脂加工体、プラスチックポーラス体等）が圧入保持される。
【００２８】
〔第２実施例〕
図８〜図１１に第２実施例を示す。
【００２９】
第１実施例の変形例であって、第１実施例と大きく異なる点は、第二の筒部３の前端部（即ち筒状突出部３１）の外面と第一の筒部２の内面とが、軸方向且つ短径方向に延びる板状リブ２３によりにより連結されている点と、第二の筒部３の後部の内面に環状シール部３２を形成した点にある。
【００３０】
前記短径方向の板状リブ２３の前端は、長径方向の板状リブ２２の前端及び筒状突出部３１前端と軸方向に略同位置にあるため、短径方向の板状リブ２３、長径方向の板状リブ２２及び筒状突出部３１の三者の前端によって、イレーザ５の後端面が安定的に当接支持される。
【００３１】
また、前記環状シール部３２は、連結部４の後方且つ平板状マグネット６の後端よりも後方に位置するため、環状シール部３２の位置する第二の筒部３後部の周壁の肉厚を均一なものにし、成形時のヒケの発生を抑え、筆記具本体８との気密嵌合不良を防止する。
【００３２】
〔適用例〕
図１２に第１実施例及び第２実施例のキャップ１を適用した筆記具の例を示す。前記筆記具本体８は、軸筒８１内部に、インキが含浸された繊維収束体よりなるインキ吸蔵体８２を備え、軸筒８１前端部に、前記インキ吸蔵体８２と接続した繊維の樹脂加工体よりなるペン先８３を突出保持し、軸筒８１後端部に、前記インキ吸蔵体８２後端を当接支持し且つ軸筒８１後端開口部を密封する尾栓８４を嵌着した構成であり、前記筆記具本体８のペン先側外面には、本発明のキャップ１が着脱自在に挿着される。
【００３３】
〔その他〕
尚、本発明に用いるイレーザ５とは、筆跡消去手段であって、筆記具本体８がホワイトボードマーカー等の場合、前記実施例のフェルト以外にも筆跡を拭い取るものとして、繊維の樹脂加工体、プラスチックポーラス体、不織布等が挙げられる。また、筆記具本体８が鉛筆等の場合、消しゴム等が挙げられる。
【００３４】
尚、本発明に用いるマグネット６は、磁性を有するものであればよい。
【００３５】
【発明の効果】
請求項１の構成により、マグネットの十分な吸着力を得ると同時にキャップの外観性も良好なものに保つことができる。
【００３６】
前記請求項１の構成により、イレーザの中央部を安定支持でき、イレーザの没入を防止できると共に、第一の筒部の奥までイレーザを挿入保持する場合に比べ、イレーザの軸方向長さを小さいものにでき、イレーザの材料費を低く抑えることができる。
【００３７】
前記請求項２の構成により、環状シール部でのヒケの発生が回避され、筆記具本体との気密嵌合不良を防止できる。
【００３８】
前記請求項３の構成により、環状シール部でのヒケの発生が回避され、筆記具本体との気密嵌合不良を防止できる。
【００３９】
前記請求項４の構成により、キャップを挿着した筆記具を立設状態の被吸着面に吸着保持したとしても、ペン先内のインキドロップバックによる筆跡のカスレや、インキの過剰供給によるペン先からのインキ漏出を防止できる。
【図面の簡単な説明】
【図１】本発明の第１実施例を示す縦断面図である。
【図２】図１のＡ−Ａ線断面図である。
【図３】図１のＢ−Ｂ線断面図である。
【図４】図１のＣ−Ｃ線断面図である。
【図５】図１のＤ−Ｄ線断面図である。
【図６】本発明の第１実施例のマグネット側を示す正面図である。
【図７】図６の右側面図である。
【図８】本発明の第２実施例を示す縦断面図である。
【図９】図８のＥ−Ｅ線断面図である。
【図１０】図８のＦ−Ｆ線断面図である。
【図１１】図８のＧ−Ｇ線断面図である。
【図１２】本発明の筆記具用キャップを適用した筆記具の例を示す縦断面図である。
【符号の説明】
１ キャップ
２ 第一の筒部
２１ 環状間隙
２２ 板状リブ（長径方向）
２３ 板状リブ（短径方向）
３ 第二の筒部
３１ 筒状突出部
３２ 環状シール部
３３ 点状嵌合部
４ 連結部
５ イレーザ
６ マグネット
７ 多孔質含浸体
８ 筆記具本体
８１ 軸筒
８２ インキ吸蔵体
８３ ペン先
８４ 尾栓
【図１】
0004548890.tif 000002
【図２】
0004548890.tif 000003
【図３】
0004548890.tif 000004
【図４】
0004548890.tif 000005
【図５】
0004548890.tif 000006
【図６】
0004548890.tif 000007
【図７】
0004548890.tif 000008
【図８】
0004548890.tif 000009
【図９】
0004548890.tif 000010
【図１０】
0004548890.tif 000011
【図１１】
0004548890.tif 000012
【図１２】
0004548890.tif 000013